(57)【特許請求の範囲】
【請求項１】
箱状体の開口部分外周にＬ字型に折返した引掛溝が形成された汎用工具箱に装着する釣用レールキットであって、
クランプと突起部により挟込むことが可能な長方形断面を有する長尺状の板部材をコの字型に折曲げて形成されたレールであって、折曲げられた両端部に細長いスライド溝がそれぞれ開口したコの字レールと、
前記箱状体の引掛溝を利用して同箱状体の右側壁面および左側壁面にそれぞれ押当てられる、前記コの字レールを水平に架け渡すための２つのレール支持具と、
前記箱状体の左右側壁面に押当てたレール支持具を、同箱状体に対して着脱可能に固着させる固着手段と、
前記固着手段により箱状体の左右側壁面に固着されたレール支持具に対して、前記コの字レールの折曲げられた端部を係留するレール留具と、
を具備してなる釣り用レールキットであり、
前記２つのレール支持具は各々、
同レール支持具の上端に形成された、前記箱状体の引掛溝に差込まれるツメ部と、
前記コの字レール断面と同一形状かつ同一サイズに開口するとともに前記レール支持具の左右側面部を貫通する孔であって、同コの字レールの折曲げられた端部を挿通するためのレール挿通孔と、
を有し、
当該釣用レールキットは、
前記レール支持具に対するコの字レールの係留位置をレール留具により調節することで、奥行サイズの異なる汎用工具箱の箱状体にも対応してコの字レールを架け渡すことができ、
かつ同レール留具をスライド溝に嵌まらないようにすることで、レール支持具のレール挿通孔からコの字レールを抜取ることができる
ように構成されたことを特徴とする、釣用レールキット。
【請求項２】
請求項１に記載の釣用レールキットであって、
Ｕ字形状ないしはＹ形状に形成されるとともに、二股に分岐した先端部それぞれに前記ツメ部が形成された前記レール支持具を有する
ように構成されたことを特徴とする、釣用レールキット。
【請求項３】
請求項１または２に記載の釣用レールキットであって、
前記固着手段は、
前記箱状体の開口部分ちかくの垂直方向の断面形状と同一の２段の階段形状もしくはコの字形状からなる金具であって、当該開口部分にぶら下げられる吊金具と、
前記吊金具をレール支持具にネジ止めするための留ネジと、
から成り、
（１）前記箱状体の左右側壁面に押当てたレール支持具と、同箱状体の開口部分からぶら下げた吊金具とを留ネジにより締付けることで、レール支持具が箱状体に固着され、
（２）レール支持具と吊金具を締付けた状態にある留ネジを弛めることで、レール支持具が箱状体から取外し可能となる
ように構成されたことを特徴とする、釣用レールキット。
【請求項４】
請求項１または２に記載の釣用レールキットであって、
（１）レール支持具においては、磁石からなる前記固着手段が取付けられており、
（２）前記汎用工具箱の箱状体においては、開口部分外周の引掛溝にレール支持具のツメ部を差込みつつ箱状体の左右側壁面にレール支持具を押当てたときの磁石の位置に、磁性金属材料ないしは磁石が取付けられている
ように構成されたことを特徴とする、釣用レールキット。
【請求項５】
請求項１または２に記載の釣用レールキットであって、
レール支持具には、吸盤からなる前記固着手段が取付けられている
ように構成されたことを特徴とする、釣用レールキット。
【請求項６】
請求項１または２に記載の釣用レールキットであって、
レール支持具には、両面テープないしは面ファスナからなる前記固着手段が取付けられている
ように構成されたことを特徴とする、釣用レールキット。
【請求項７】
請求項１または２に記載の釣用レールキットであって、
前記固着手段は、
前記箱状体の開口部分ちかくの垂直方向の断面形状と同一の２段の階段形状もしくはコの字形状からなる金具であって、先端部にオスコネクタが設けられた吊金具と、
前記レール支持具に一体的に成型されたメスコネクタであって、前記吊金具のオスコネクタが嵌合されるメスコネクタと、
から成り、
（１）前記箱状体の左右側壁面に押当てたレール支持具に成型されているメスコネクタに、同箱状体の開口部分からぶら下げた吊金具のオスコネクタを差込むことで、レール支持具が箱状体に固着され、
（２）メスコネクタに差込まれた状態にあるオスコネクタを同メスコネクタから引抜くことで、レール支持具が箱状体から取外し可能となる
ように構成されたことを特徴とする、釣用レールキット。
【請求項８】
請求項１または２に記載の釣用レールキットであって、
前記固着手段は、
前記箱状体の開口部分ちかくの垂直方向の断面形状と同一の２段の階段形状もしくはコの字形状からなるクリップと、
前記レール支持具に一体的に成型されるとともに同レール支持具の垂直方向に起立した支持板であって、先端部のヒンジ機構により前記クリップが回動可能に取付けられた支持板と、
から成り、
前記レール支持具を箱状体の左右側壁面に押当てるとともに前記支持板が引掛溝に当接した状態において前記クリップにより同引掛溝を挟込むことにより、レール支持具が箱状体に固着される
ように構成されたことを特徴とする、釣用レールキット。
【請求項９】
請求項１乃至８のいずれか１項に記載の釣用レールキットであって、
前記コの字レールは、複数の長尺状板材を伸縮自在に継ぎ合せて形成されている
ように構成されたことを特徴とする、釣用レールキット。
【請求項１０】
請求項１乃至９のいずれか１項に記載の釣用レールキットであって、
前記コの字レールを構成する３辺のうち中央レール辺には、任意の釣用アイテムをネジ止めするためのアイテム用ネジ穴ないしは細長い溝状のアイテム装着溝の少なくとも一方が形成されており、
前記釣用アイテムは、
同アイテム用ネジ穴または同アイテム装着溝に係合する雄ネジまたは雌ネジが取付けられた頭頂部と、
前記頭頂部に対してヒンジ機構により開閉可能に取付けられた所定機能部と、
同頭頂部に取付けられた雄ネジまたは雌ネジに対して螺合する雌ネジまたは雄ネジを有する締具と、
を備える
ように構成されたことを特徴とする、釣用レールキット。
【発明の詳細な説明】
【技術分野】
【０００１】
本発明は、汎用工具箱を改変することなくレールを架け渡すことのできる釣用レールキットに関する。
【背景技術】
【０００２】
一般に釣りでは、釣針・うき・おもり・餌入箱をはじめとする様々な小物（細かな各種釣用品）が用いられる。
釣りをする環境は屋外が多く、足場の悪いごつごつした岩場、砂利だらけの川原、所々にゴミが放置された防波堤や路上などで釣りをすることも珍しくない。それゆえに小物や飲料・食料を地面に置くと、汚れや埃が付着したり、容器・包装から飲食物がこぼれたり、吹き飛ばされたり、水に濡れるおそれがあり、それらの置場に悩むことも多い。
【０００３】
釣りの最中に小物・飲料・食料を安心して置いておける安定的な置場を簡単に見つけられれば便利なものの、そのような置場に適する環境を釣場の近くで首尾よく見つけることは難しい。
【０００４】
上述したような問題を解決するために近年では、本来釣上げた魚を保冷するためのクーラーボックス本体の外部に、釣り目的に特化した様々な釣用アイテム（ロッドホルダ・ドリンクホルダ・フック・小物入れ・餌箱など）を装着したクーラーボックス製品が考案されている（例えば、特許文献１参照。）。
【０００５】
このようなクーラーボックスの市場流通している製品例としては、クーラーボックス本体にレール支持具を装着しておき、同支持具を介して架け渡したレールに上述の釣用アイテムを着脱可能に取付けた製品などがある（例えば、非特許文献１参照。）。
非特許文献１のクーラーボックスによれば、側面部に備え付けられたロッドホルダ・小物入れに加え、正面部に架け渡した水平レールに餌箱・天秤ホルダなどを着脱できるような構造になっている。
これにより、釣場周辺における小物や飲食物の置場の問題解決が図られる。
【０００６】
しかしながら釣り用途に特化した様々な利便性を備えるクーラーボックスは往々にして「高価」（数万円程度の販売価格帯）であり、また釣具専門店のように限られた特別な店舗でないと商品（この種のクーラーボックス）を取扱っていないことも多い。
【０００７】
また市場流通する製品としては、クーラーボックスに追加的に取付けることが可能な様々な釣用レールキットも考案されている（例えば、非特許文献２・３参照。）。
非特許文献２の技術によれば、クーラーボックス本体にネジ穴を開けておき同ネジ穴にレールをネジ止めすることで、ロッドホルダ・ドリンクホルダ・フック・小物入れ・餌箱といった釣用アイテムのレール装着を実現する。
さらに非特許文献３の技術によれば、クーラーボックスにおけるハンドル（持手）の取付部ちかくに差込孔が空いており、その差込孔の下方から上向きにレール支持具が差込まれている。そして、このレール支持具を介してレールが水平に架け渡されている。
【先行技術文献】
【特許文献】
【０００８】
【特許文献１】特開平１０−２７６６４５号公報
【非特許文献】
【０００９】
【非特許文献１】株式会社シマノ、“製品情報  フィクセル・サーフ  キス  スペシャル  １２０  ＵＦ−Ｎ１２Ｎ”、［online］、株式会社シマノ、［平成27年10月20日検索］、インターネット〈URL：http://fishing.shimano.co.jp/product/goods/4007〉
【非特許文献２】株式会社シマノ、“製品情報  アクセサリーベース（Ｓ・Ｍ）  ＡＢ−０１２Ｊ”、［online］、株式会社シマノ、［平成27年10月20日検索］、インターネット〈URL：http://fishing.shimano.co.jp/product/goods/2686〉
【非特許文献３】株式会社シマノ、“製品情報  クーラーベースＦＩＸＣＥＬ用  ＡＢ−００１Ｎ”、［online］、株式会社シマノ、［平成27年10月20日検索］、インターネット〈URL：http://fishing.shimano.co.jp/product/goods/4032〉
【発明の概要】
【発明が解決しようとする課題】
【００１０】
ところで釣用品（釣竿・リールなど）を収納・携行するだけであれば必ずしも釣専用のクーラーボックスを使う必要はなく、広く一般に市場流通している「汎用工具箱を代用」することも可能である。
汎用工具箱の場合、釣り目的に特化された利便性の高いクーラーボックスよりも「安価」（数千円程度の販売価格帯）で済み、かつ釣具専門店にわざわざ足を運ばずとも一般的な小売店（例えば、ホームセンター等）で簡単に入手できる。
【００１１】
しかしながら手軽に入手可能な汎用工具箱はその汎用性ゆえに、そのままでは釣用アイテム（ロッドホルダ・ドリンクホルダ・フック・小物入れ・餌箱など）を直接取付けることができない構造となっている。
汎用工具箱に釣用アイテムを取付けるには、同工具箱の壁面にネジ穴を空けて釣用アイテム（もしくは釣用アイテムを装着するためのレール）をネジ止めする等の手法を採りうるが、これでは工具箱を傷付けてしまうことになる。
また接着剤などにより釣用アイテムを汎用工具箱に取付ける手法も考えられるが、釣り用アイテムの取外しに手間取ったり、接着剤の接着強度によっては汎用工具箱の表面（釣用アイテムの接着面）が剥がれるおそれもある。
【００１２】
さらに釣りの場合、「釣りの態様に応じて、使用する釣用品が変わる」こともある。
例えば、海釣りでは沖合まで仕掛を投込むためにリールが必要とされる一方、川幅の狭い河川で行う渓流釣りではリールなどは必要とされない。
また釣上げる魚種ごとに、使用する仕掛の種類や大きさなどもそれぞれ違ったものになる。
このような場合、荷物の量に応じて釣場に持参する箱のサイズも変更できると便利であるものの、釣用アイテムがあらかじめ装着されたサイズ違いのクーラーボックスを釣りの態様に応じていくつも購入・所有することは甚だ不経済である。
【００１３】
上述したような釣りに関する実情に鑑みると、そのときどきの釣りの態様に適合した容器（箱状体）を釣場に持込めることが釣人にとっては望ましい。
そして、その都度、異なるサイズの容器に自在に取付けることのできる釣用レールキットがあれば、そのような製品に対する潜在的なニーズは大きいものと考えられる。
【００１４】
本発明は上記の問題に鑑みてなされたものであり、汎用工具箱を損傷させることなく、釣り用途に使用したい場合のみ汎用工具箱に対して釣用アイテムを装着するためのレールを着脱することを目的とする。
【課題を解決するための手段】
【００１５】
〔第１発明〕
そこで上記の課題を解決するために、本願の第１発明に係る釣用レールキットは、
箱状体の開口部分外周にＬ字型に折返した引掛溝が形成された汎用工具箱に装着する釣用レールキットであって、
クランプと突起部により挟込むことが可能な長方形断面を有する長尺状の板部材をコの字型に折曲げて形成されたレールであって、折曲げられた両端部に細長いスライド溝がそれぞれ開口したコの字レールと、
前記箱状体の引掛溝を利用して同箱状体の右側壁面および左側壁面にそれぞれ押当てられる、前記コの字レールを水平に架け渡すための２つのレール支持具と、
前記箱状体の左右側壁面に押当てたレール支持具を、同箱状体に対して着脱可能に固着させる固着手段と、
前記固着手段により箱状体の左右側壁面に固着されたレール支持具に対して、前記コの字レールの折曲げられた端部を係留するレール留具と、
を具備してなる釣用レールキットであり、
前記２つのレール支持具は各々、
同レール支持具の上端に形成された、前記箱状体の引掛溝に差込まれるツメ部と、
前記コの字レール断面と同一形状かつ同一サイズに開口するとともに前記レール支持具の左右側面部を貫通する孔であって、同コの字レールの折曲げられた端部を挿通するためのレール挿通孔と、
を有し、
当該釣用レールキットは、
前記レール支持具に対するコの字レールの係留位置をレール留具により調節することで、奥行サイズの異なる汎用工具箱の箱状体にも対応してコの字レールを架け渡すことができ、
かつ同レール留具をスライド溝に嵌まらないようにすることで、レール支持具のレール挿通孔からコの字レールを抜取ることができる構成とした。
【００１６】
第１発明に係る釣用レールキットではレール支持具を固着手段により汎用工具箱に固着することで、ネジ穴を開ける等の「損傷を汎用工具箱に与えることなく」釣専用のクーラーボックスよりも安価な汎用工具箱に対して釣用アイテム（ロッドホルダ・ドリンクホルダ・フック・小物入れ・餌箱など）を着脱可能に取付けることができる（図９参照）。
【００１７】
なお釣用に作られたクーラーボックス製品では一般的に、使用者が指を引っかけるためのＬ字型の折返部分（図４の引掛溝ＧＶ）が設けられていない。
そのためクーラーボックスにレールを取付けるには、上述した特許文献１のクーラーボックスにも看取されるようにレールを取付けるための専用の取付部品（レール支持具として機能する同特許文献１の取付スリット５０）を設けざるを得ない。
しかしながら、このような構成下ではレールを取外してあるときに、クーラーボックス本体から突き出た取付部品（レール支持具）が周囲の物に当たって邪魔になりかねない。
【００１８】
一方で汎用工具箱（図４の汎用工具箱ＴＢ）ではクーラーボックスとは異なり、使用者が指を引っかけるための「Ｌ字型の折返部分（同図４の引掛溝ＧＶ）を有する構造の方がむしろ一般的」である。
そこで本願の「釣用レールキット」ではこのような汎用工具箱の実情に着目し、汎用工具箱に設けられているＬ字型の折返部分（引掛溝ＧＶ）に対し、この折返部分に差込むツメ部を有するレール支持具２を汎用工具箱の左右側面に装着し、同支持具２を介してレールを水平に架け渡す構成とした（図８参照）。
このようにすれば同図８のように汎用工具箱の箱状体ＢＸに固着されたコの字レール１に、ロッドホルダ・ドリンクホルダ５Ａ（図９）・フック５Ｂ（同図９）・小物入れ・餌箱などの様々な釣用アイテムを使用者の好みに応じて自由に装着することができる。
【００１９】
なお本願の釣用レールキットでは図５（ｂ）のように、レール支持具２の厚み（図５（ａ）のＷ２）を「ひさし状に設けられている引掛溝ＧＶの先端部から、汎用工具箱ＴＢの箱状体ＢＸの左右側壁面ＲＷ・ＬＷまでの距離ＷＧＶと同一のサイズ」に選定している。
そのためレール支持具２を汎用工具箱ＴＢの左右側壁面ＲＷ・ＬＷに装着したときに同支持具２が汎用工具箱ＴＢの周囲にはみ出すことがなく（図５（ｂ））、コの字レール装着用の取付部品（レール支持具２）が周囲の物に当たることを回避できる。
【００２０】
さらに本釣用レールキットでは「汎用工具箱に改造（損傷）を加えることなく、釣り用途に必要なときだけ」コの字レール１（ひいては、当該コの字レール１に取付けられる釣用アイテム）を装着することができる（図９）。
また釣りを終えたあとはレール支持具２を外すことで元々の汎用工具箱ＴＢの状態（図４）に戻すことができるため、汎用工具箱として再使用することができる。
【００２１】
さらに本願レールキットではコの字レールの位置調節機能により「汎用工具箱の奥行サイズに応じて」奥行方向のレール取付位置（図８に示すごとく、レール支持具２に対するコの字レール１の係留位置）を自在に調節できる。
そのため非特許文献１のクーラーボックスでは生じ得なかった「使用者の好みの奥行位置に自由にレールを架設」できるという効果が生じる。
【００２２】
なお本願レールキットではコの字レール１を設置する場合、レール支持具２の左右両側面を貫くレール挿通孔２２からコの字レール１をあらかじめ挿通（差込）しておき、コの字レール１と連結されたレール支持具２を汎用工具箱ＴＢの箱状体ＢＸに対し固着させる（図７）だけの簡易な取付作業で済む。
そのため屋外環境においても、汎用工具箱に対し、きわめて容易に且つ短時間で釣用アイテムを設営することができる。
また本願レールキットにおいては釣用アイテム（図９の例では５Ａ・５Ｂ）をコの字レール１に対して装着する場合、同レール１を構成する３辺のうち中央レール辺１２（左右両端部の各辺と直角をなす真ん中の辺１２）に釣用アイテムが装着される。
さらに同レール１は長方形断面の短辺の幅Ｗ１２（図８に示す汎用工具箱の奥行方向における中央レール辺１２の幅Ｗ１２）が十分に薄いため、種々の釣用アイテム（図９のドリンクホルダ５Ａ・フック５Ｂなど）を同釣用アイテム側に設けられたクランプ５１と突起部５２により挟込んで容易に着脱することができる。
なおコの字レール１の中央レール辺１２の短辺幅Ｗ１２と、釣用アイテム（図９の５Ａ・５Ｂ）のクランプ５１と突起部５２間の間隔Ｗ５を同一サイズにすることで、釣用アイテムをコの字レール１に対して安定的に固着できる。
【００２３】
またレールを撤去する際も固着手段３の解除操作により、コの字レール１を差込んだままの状態でレール支持具２を汎用工具箱ＴＢから取外すだけでよいため、きわめて短時間で撤去作業も完了可能である。
釣りは屋外で行われる機会が多いため、天候の急変によりゲリラ豪雨のような突然の降雨に見舞われることもある。また魚の生息する水辺（川や海）では増水（潮位の上昇）による河川の氾濫や高波のおそれもあるため、一刻も早く釣場から離れなければ釣り人が危険な状況に陥ることすら考えられる。
このような釣りの特有事情に鑑みると、本レールキットの撤去に要する作業時間が短いことは使用者にとって大きなメリットをもたらすものと考えられる。
【００２４】
〔第２発明〕
また上記の課題を解決するために本願の第２発明に係る釣用レールキットは、第１発明の釣用レールキットであって、
Ｕ字形状ないしはＹ字形状に形成されるとともに、二股に分岐した先端部それぞれに前記ツメ部が形成された前記レール支持具を有する構成とした。
【００２５】
汎用工具箱には運搬時に持上げやすくすることを目的として、持手（把持するためのハンドルＨＬ）が回動可能に取付けられたものも多い（図１０）。
第２発明によればレール支持具２の全体形状を「Ｕ字形」（図２（ａ））ないしは「Ｙ字形」（図１２）の湾曲形状とすることで、持手の根元部分（箱状体ＢＸに対するハンドルＨＬの取付位置）にぶつかることなくレール支持具２を取付けることが可能となる（図１１）。
【００２６】
〔第３発明〕
また上記の課題を解決するために本願の第３発明に係る釣用レールキットは、第１〜第２発明の釣用レールキットであって、
前記固着手段は、
前記箱状体の開口部分ちかくの垂直方向の断面形状と同一の２段の階段形状もしくはコの字形状からなる金具であって、当該開口部分にぶら下げられる吊金具と、
前記吊金具をレール支持具にネジ止めするための留ネジと、
から成り、
（１）前記箱状体の左右側壁面に押当てたレール支持具と、同箱状体の開口部分からぶら下げた吊金具とを留ネジにより締付けることで、レール支持具が箱状体に固着され、
（２）レール支持具と吊金具を締付けた状態にある留ネジを弛めることで、レール支持具が箱状体から取外し可能となる構成とした。
【００２７】
第３発明の釣用レールキットでは「吊金具３１と留ネジ３３の組合せにより固着手段３」を実現している（図１ないしは図１３）。
特に吊金具３１の形状を、汎用工具箱の箱状体ＢＸの断面形状と一致させる（同一形状である２段の階段形状もしくはコの字形状にする）ことで、留ネジ３３により吊金具３１とレール支持具２をネジ止めした際に同支持具２のツメ部２１が引掛溝ＧＶ（Ｌ字型の溝部）に拘束されるため、レール支持具２を箱状体ＢＸの左右側壁面に密着した状態で固着することができる（図６（ｂ）参照）。
【００２８】
〔第４発明〕
また上記の課題を解決するために本願の第４発明に係る釣用レールキットは、第１〜第２発明の釣用レールキットであって、
（１）レール支持具においては、磁石からなる前記固着手段が取付けられており、
（２）前記汎用工具箱の箱状体においては、開口部分外周の引掛溝にレール支持具のツメ部を差込みつつ箱状体の左右側壁面にレール支持具を押当てたときの磁石の位置に、磁性金属材料ないしは磁石が取付けられている構成とした。
【００２９】
第４発明によれば図１４（ａ）・図１４（ｂ）のごとく磁石や磁性金属材料から構成される「磁力を利用した固着手段３Ａ・３Ｂ」を採用しているため、レール支持具の取付手法こそ第３発明と異なるものの、汎用工具箱に改変（物理的損傷）を加えることなくレールを取付できる点で上記第３発明と同様の効果を奏することが可能となる。
【００３０】
〔第５発明〕
また上記の課題を解決するために本願の第５発明に係る釣用レールキットは、第１〜第２発明の釣用レールキットであって、
レール支持具には、吸盤からなる前記固着手段が取付けられている構成とした。
【００３１】
第５発明では、図１５（ａ）・図１５（ｂ）のごとく吸盤から構成される「負圧による吸着力を利用した固着手段３Ｃ」を採用しており、レール支持具の取付手法こそ第３ないしは第４発明と異なるが、汎用工具箱に改変（物理的損傷）を加えることなくレールを取付できる点では上記第３・第４発明と同様の効果を奏することが可能となる。
【００３２】
〔第６発明〕
また上記の課題を解決するために本願の第６発明に係る釣用レールキットは、第１〜第２発明の釣用レールキットであって、
レール支持具には、両面テープないしは面ファスナからなる前記固着手段が取付けられている構成とした。
【００３３】
第６発明については、図１６のように両面テープないしは面ファスナから構成される「粘着力を利用した固着手段３Ｄ」を採用している点でレール支持具の取付手法が第３〜第５発明と異なっているが、汎用工具箱に改変を加えることなくレールを取付できる点では上記第３〜第５発明と同様の効果を奏する。
【００３４】
〔第７発明〕
また上記の課題を解決するために本願の第７発明に係る釣用レールキットは、第１〜第２発明の釣用レールキットであって、
前記固着手段は、
前記箱状体の開口部分ちかくの垂直方向の断面形状と同一の２段の階段形状もしくはコの字形状からなる金具であって、先端部にオスコネクタが設けられた吊金具と、
前記レール支持具に一体的に成型されたメスコネクタであって、前記吊金具のオスコネクタが嵌合されるメスコネクタと、
から成り、
（１）前記箱状体の左右側壁面に押当てたレール支持具に成型されているメスコネクタに、同箱状体の開口部分からぶら下げた吊金具のオスコネクタを差込むことで、レール支持具が箱状体に固着され、
（２）メスコネクタに差込まれた状態にあるオスコネクタを同メスコネクタから引抜くことで、レール支持具が箱状体から取外し可能となる構成とした。
【００３５】
第７発明の釣用レールキットでは「吊金具３Ｅのオスコネクタ３４と、レール支持具２側に一体成型されたメスコネクタ３５の組合せ」により固着手段を実現している（図１７（ａ）参照）。
これにより上記第３〜第６発明と同様、汎用工具箱に改変を加えることなくレールを取付けることができる。
【００３６】
〔第８発明〕
また上記の課題を解決するために本願の第８発明に係る釣用レールキットは、第１〜第２発明の釣用レールキットであって、
前記固着手段は、
前記箱状体の開口部分ちかくの垂直方向の断面形状と同一の２段の階段形状もしくはコの字形状からなるクリップと、
前記レール支持具に一体的に成型されるとともに同レール支持具の垂直方向に起立した支持板であって、先端部のヒンジ機構により前記クリップが回動可能に取付けられた支持板と、から成り、
前記レール支持具を箱状体の左右側壁面に押当てるとともに前記支持板が引掛溝に当接した状態において前記クリップにより同引掛溝を挟込むことにより、レール支持具が箱状体に固着される構成とした。
【００３７】
第８発明の釣用レールキットでは「ヒンジ機構３６により回動可能に取付けられたクリップ３Ｇ」により固着手段を実現している（図１８（ａ）参照）。
これにより上記第３〜第７発明と同様、汎用工具箱に改変を加えることなくレールを取付けることができる。
【００３８】
〔第９発明〕
また上記の課題を解決するために本願の第７発明に係る釣用レールキットは、第１〜第８発明の釣用レールキットであって、
前記コの字レールは、複数の長尺状板材を伸縮自在に継ぎ合せて形成されている構成とした。
【００３９】
第９発明によればコの字レールの中央レール辺（左右両端部の各辺と直角をなす真ん中の辺）を軸方向に伸縮することにより（図２０）、コの字レール１Ａを装着する「汎用工具箱の横幅に応じて」同工具箱に水平に架け渡すコの字レール１Ａの長さを自由に変更できる。
【００４０】
〔第１０発明〕
また上記の課題を解決するために本願の第１０発明に係る釣用レールキットは、第１〜第９発明の釣用レールキットであって、
前記コの字レールを構成する３辺のうち中央レール辺には、任意の釣用アイテムをネジ止めするためのアイテム用ネジ穴ないしは細長い溝状のアイテム装着溝の少なくとも一方が形成されており、
前記釣用アイテムは、
同アイテム用ネジ穴または同アイテム装着溝に係合する雄ネジまたは雌ネジが取付けられた頭頂部と、
前記頭頂部に対してヒンジ機構により開閉可能に取付けられた所定機能部と、
同頭頂部に取付けられた雄ネジまたは雌ネジに対して螺合する雌ネジまたは雄ネジを有する締具と、
を備える構成とした。
【００４１】
第１０発明によればコの字レール１（中央レール辺１２）に対して、背面にクランプ５１が設けられた釣用アイテム（図９の例では５Ａ・５Ｂ）をクランプ装着するのみならず、アイテム用ネジ穴１３・アイテム装着溝１４により釣用アイテム（図２１の例では５Ｃ・５Ｄ）をネジ止め装着することも可能となる。
しかしながら各種の釣用アイテム（図２１の５Ｃ・５Ｄ）を装着できるようコの字レール１にアイテム用ネジ穴１３・アイテム装着溝１４を設けたとしても、釣用アイテムがかさばった状態（図２２（ａ）・図２２（ｃ））ではボルト（雄ネジ５３）と締具５４（雌ネジ）を締付けて同釣用アイテムを中央レール辺１２に装着することは困難となってしまう。
そこで第１０発明では「釣用アイテム側にも工夫」を凝らし、釣用アイテム５Ｃ・５Ｄの頭頂部５５に対し、所定機能部５７（ドリンクホルダ機能を発揮する円筒状の容器保持部５７Ａ、フック機能を発揮する湾曲部５７Ｂ）がヒンジ機構５６によって開閉可能に取付けられている（上述の図２２（ａ）・図２２（ｃ）参照）。
このように釣用アイテム５Ｃ・５Ｄの所定機能部５７を折畳むことにより（図２２（ｂ）・図２２（ｄ））、雄ネジ５３の締付作業をするときの回転半径を小さくでき、ひいては釣用アイテムをネジ止めする際の作業効率の円滑化が図られる。
なおアイテム用ネジ穴１３・アイテム装着溝１４はともに釣用アイテムのネジ止め装着が可能であるものの、アイテム用ネジ穴１３では図２１において釣用アイテム５Ｃ・５Ｄの装着位置を変更する際に頭頂部５５と締具５４を完全に取外さなければ位置変更ができない一方、アイテム装着溝１４では釣用アイテム５Ｃ・５Ｄの装着位置を変更する際に頭頂部５５と締具５４を完全に取外さなくても締付を弛めるだけでスライド移動できる点で異なっている。
【図面の簡単な説明】
【００４２】
【図１】実施形態に係る釣用レールキットの構成要素を示す外観斜視図である。
【図２】Ｕ字形状のレール支持具を示す図であって、（ａ）は正面図、（ｂ）は右側面図である。
【図３】レール支持具のレール挿通孔に、コの字レールの折曲げられた端部を挿通させたときの外観斜視図である。
【図４】ハンドルのないタイプの蓋付の汎用工具箱の外観斜視図である。
【図５】レール支持具の断面図であって、（ａ）はレール支持具を箱状体の引掛溝に差込む前の状態、（ｂ）はレール支持具を箱状体の引掛溝に差込んだ後の状態である。
【図６】吊金具と留ネジから構成された固着手段の断面図であって、（ａ）は吊金具をかぶせた状態、（ｂ）は吊金具を留ネジで締付けた状態である。
【図７】ハンドルのない蓋付の汎用工具箱にレール支持具を取付けるときの外観斜視図である。
【図８】ハンドルのない蓋付の汎用工具箱に取付けられた、釣用レールキットの組立完成図である。
【図９】組立てた釣用レールキットのコの字レールにドリンクホルダやフックをクランプ装着で取付けるときの模式図である。
【図１０】ハンドルのあるタイプの蓋付の汎用工具箱の外観斜視図である。
【図１１】ハンドルのある蓋付の汎用工具箱に対してレール支持具を取付けたときの外観斜視図である。
【図１２】Ｙ字形状のレール支持具の外観正面図である。
【図１３】２段の階段形状を有する吊金具と留ネジからなる固定手段によりレール支持具を取付けるときの外観図である。
【図１４】１対の磁石から構成された固着手段の断面図であって、（ａ）はレール支持具の内部に磁石を埋込んだときの図、（ｂ）はレール支持具の外表部分に磁石を取付けたときの図である。
【図１５】吸盤から構成された固着手段の断面図であって、（ａ）は吸盤を吸着させる前の状態、（ｂ）は吸盤を吸着させた後の状態である。
【図１６】両面テープから構成された固着手段を箱状体に固着させたときの断面図である。
【図１７】オスコネクタおよびメスコネクタから構成された固着手段の断面図であって、（ａ）はオスコネクタとメスコネクタを噛合わせる前の状態、（ｂ）はオスコネクタとメスコネクタを噛合わせた後の状態である。
【図１８】クリップとヒンジ機構から構成された固着手段の断面図であって、（ａ）はクリップにより挟み込む前の状態、（ｂ）はクリップにより挟み込んだ後の状態である。
【図１９】奥行調整孔が穿孔されたコの字レールをボルト具を用いてハンドルのない蓋付の汎用工具箱に取付けるときの外観斜視図である。
【図２０】伸縮可能に構成された入れ子構造のコの字レールの外観斜視図である。
【図２１】中央レール辺にアイテム用ネジ穴・アイテム装着溝が設けられたコの字レールを汎用工具箱に装着し、同中央レール辺に釣用アイテムをネジ止め装着した使用状態を示す模式図である。
【図２２】頭頂部と所定機能部をヒンジ機構で連結した釣用アイテムの模式図であって、（ａ）は開いた状態のドリンクホルダ、（ｂ）は閉じた状態のドリンクホルダ、（ｃ）は開いた状態のフック、（ｄ）は閉じた状態のフック、である。
【発明を実施するための形態】
【００４３】
以下、図１乃至図２２を参照して、本発明の釣用レールキットについて説明する。
［実施形態］
本発明の実施形態は、箱状体ＢＸ（図４参照）の開口部分外周にＬ字型に折返した引掛溝ＧＶ（同図４）が形成された汎用工具箱ＴＢに装着する釣用レールキットを構成した例である。
【００４４】
図１は、実施形態１に係る釣用レールキット１００の構成要素を示す模式図である。
同図１において釣用レールキット１００は、コの字レール１と、２つのレール支持具２と、固着手段３と、レール留具４と、を具備して構成されている。
【００４５】
本釣用レールキット１００は、レール留具４により「レール支持具２に対するコの字レール１の係留位置」を調節することで、奥行サイズ（図８に示す奥行方向）の異なる汎用工具箱ＴＢの箱状体ＢＸにも対応してコの字レール１を架け渡すことができるものである。
また釣用レールキット１００は、レール留具４（図１のボルト具４１とナット具４２）がスライド溝１１に嵌まっていない状態とすることで、レール支持具２のレール挿通孔２２からコの字レール１を抜取ることができる。
以下、この内容について詳しく説明する。
【００４６】
コの字レール１は図１に示すように、長尺状の板部材をコの字型に折曲げて形成されている。
本例においてコの字レール１の断面は長方形状に形成されているが、同レール１の断面は正方形を含む任意の多角形状や円形状を選択してもよい。
またコの字レール１の材質は、金属製・合成樹脂製・木製のいずれを選定してもよい。
【００４７】
さらに本例では図１のように、コの字レール１の折曲げられた両端部には細長い開口部（スライド溝１１）が設けられている。
スライド溝１１には、レール支持具２に開けられたレール留孔２３Ａ・２３Ｂを介してレール留具４（ボルト具４１・ナット具４２）が差込まれる。
【００４８】
レール支持具２は、コの字レール１を水平に架け渡すための支持具である。
本例においてレール支持具２は、箱状体ＢＸの引掛溝ＧＶを利用して同箱状体ＢＸの右側壁面ＲＷおよび左側壁面ＬＷに密着した状態で押当てられる（図５（ａ）・図５（ｂ）参照）。
【００４９】
本例においてレール支持具２は、図２（ａ）に示す正面図のように「Ｕ字形状」の全体形状からなる。
Ｕ字形の湾曲形状とすることによりハンドルＨＬ付の汎用工具箱ＴＢ（図１０）に対しても、ハンドルＨＬの根元部分（箱状体ＢＸに対するハンドルＨＬの取付位置）にぶつかることなくレール支持具２を取付けることが可能となる（図１１）。
【００５０】
また２つのレール支持具２は各々、同レール支持具２の上端に形成されたツメ部２１と、レール挿通孔２２と、レール留孔２３Ａ・２３Ｂと、ネジ孔２４と、を有している。
ツメ部２１は、箱状体ＢＸの引掛溝ＧＶに差込まれる
なおツメ部２１の奥行は、ツメ部２１が前後方向に位置ずれすることのないよう、引掛溝ＧＶの幅と同一にすればよい（図５（ｂ））。
【００５１】
レール支持具２に設けられたレール挿通孔２２は、コの字レール１の折曲げられた端部を挿通するための孔である（図３）。
同挿通孔２２は、コの字レール１断面と同一形状かつ同一サイズに開口するとともに（図２（ｂ）参照）、図２（ａ）に破線で示すようにレール支持具２の左右側面部を貫通する。なおレール支持具２の右側面・左側面に設けられたレール挿通孔２２は、互いに向合うよう左右対称の位置に設けられている。
【００５２】
図１のレール留孔２３Ａ・２３Ｂは各々、レール支持具２をレール留具４と連結するためにレール支持具２側に設けられた開口部である。
本例におけるレール留孔２３Ａはレール支持具２の裏側（レール支持具２が箱状体ＢＸの左右側壁面ＲＷ・ＬＷに密着する側）に設けられており、ボルト具４１が差込まれる。
また本例におけるレール留孔２３Ｂはレール支持具２の表側（箱状体ＢＸの左右側壁面ＲＷ・ＬＷに対してレール支持具２が密着する面の反対側）に設けられており、ナット具４２が差込まれる。
【００５３】
固着手段３は、箱状体ＢＸの右側壁面ＲＷ・左側壁面ＬＷに押当てたレール支持具２を、同箱状体ＢＸに対して着脱可能に固着させる。
本例において固着手段３は図１に示すように、吊金具３１と、留ネジ３３と、から成る。
吊金具３１は、箱状体ＢＸの開口部分ちかくの垂直方向の断面形状と同一形状をなす金具である（図６（ａ）参照）。
吊金具３１は、箱状体ＢＸの開口部分にぶら下げられる。
この吊金具３１の正面部には、留ネジ３３を差込むためのネジ孔３２が設けられている。
また留ネジ３３は図６（ｂ）のように、吊金具３１をレール支持具２にネジ止めするためのネジである。
【００５４】
箱状体ＢＸの右側壁面ＲＷ・左側壁面ＬＷに押当てたレール支持具２ならびに同箱状体ＢＸの開口部分からぶら下げた吊金具３１を留ネジ３３により締付けることで、レール支持具２が箱状体ＢＸに固着される（図６（ｂ）・図７）。
【００５５】
またレール支持具２と吊金具３１とが締付けられた状態（図６（ｂ））において留ネジ３３を弛めることにより、レール支持具２が箱状体ＢＸから取外し可能となる。
【００５６】
レール留具４は、固着手段３により箱状体ＢＸの左右側壁面ＬＷ・ＲＷに固着された各レール支持具２に対して、コの字レール１の折曲げられた端部（スライド溝１１が設けられた辺）を係留する（図８）。
本例におけるレール留具４は、１対のボルト具４１とナット具４２から構成される。
図１のごとく雄ネジ部を有するボルト具４１は、レール支持具２の裏側に開けられたレール留孔２３Ａから差込まれて締付けられることで、レール支持具２内部に挿通されたコの字レール１のスライド溝１１まで到達する。
また雌ネジ部を有するナット具４２は、レール支持具２の表側に開けられたレール留孔２３Ｂから差込まれ、同支持具２の内部においてスライド溝１１を突抜けたボルト具４１の雄ネジと螺合する。
ボルト具４１とナット具４２が緊締されることで、これらの構成要素４１・４２の間に挟まれたレール支持具２とコの字レール１の端部がしっかりと固定される。
【００５７】
レール支持具２により汎用工具箱ＴＢに取付けられたコの字レール１を利用することで図９に示すように、背面にクランプ５１が設けられた種々の釣用アイテム（ドリンクホルダ５Ａやフック５Ｂ、ロッドホルダ（図示略）など）をコの字レール１の中央レール辺１２に装着（クランプ５１と突起部５２による挟込み）することが可能となる。
本例では中央レール辺１２の短辺幅Ｗ１２と、釣用アイテム（図９の５Ａ・５Ｂ）のクランプ５１と突起部５２間の間隔Ｗ５が同一サイズに構成されているため、クランプ５１と突起部５２による挟込により釣用アイテムをコの字レール１に対して安定的に固着できる。
【００５８】
なお同図９に示すドリンクホルダ５Ａ・フック５Ｂには先端部分に爪状の突起部５２が設けられている。この突起部５２は、クランプ５１がコの字レール１に装着された際に、同レール１の下辺に噛合うようになっている（図９におけるドリンクホルダ５Ａの装着状態を参照）。
このようにすることでクランプ５１によりコの字レール１に装着された釣用アイテムが障害物に衝突した場合でも、その衝撃により位置ずれしたり、落下することを未然防止することができる。
【００５９】
以下、上記構成を有する本レールキット１００の使用方法を説明する。
釣用レールキット１００の組立前は、２つのレール支持具２が汎用工具箱ＴＢ（箱状体ＢＸの右側壁面ＲＷ・左側壁面ＬＷ）から取外された状態（図５（ａ））になっているとともに本レールキット１００も個々の構成要素１〜４に分解された状態にある（図１）。
そのため、まず使用者はレール支持具２の側面にあるレール挿通孔２２からコの字レール１の折曲げられた端部（スライド溝１１が設けられた辺）を挿通する（図３）。
続いて使用者はレール支持具２裏側のレール留孔２３Ａにボルト具４１を差込み、同支持具２の内部にあるコの字レール１のスライド溝１１をボルト具４１の雄ネジ部が突抜けるまで同ボルト具４１を締付ける。
上記締付作業が完了した時点でコの字レール１のスライド溝１１にはボルト具４１の雄ネジ部が係合しているため、運搬中にレール支持具２が傾いてもコの字レール１は同支持具２のレール挿通孔２２から抜落ちてしまうことはない。
【００６０】
つぎに使用者はコの字レール１が差込まれたレール支持具２のツメ部２１を、本レールキット１００の取付対象とする箱状体ＢＸの引掛溝ＧＶに差込んでから、レール支持具２を右側壁面ＲＷまたは左側壁面ＬＷに密着させる（図５（ｂ））。
なお本例では図５（ｂ）のように、レール支持具２の厚みＷ２を「ひさし状に設けられている引掛溝ＧＶの先端部から、汎用工具箱ＴＢの箱状体ＢＸの左右側壁面ＲＷ・ＬＷまでの距離ＷＧＶと同一のサイズ」に選定している。
そのためレール支持具２を汎用工具箱ＴＢの左右側面に装着しても同支持具２が汎用工具箱ＴＢの周囲にはみ出すことを回避できる。
【００６１】
さらに使用者は、コの字レール１が差込まれた状態のレール支持具２を固着手段３を用いて箱状体ＢＸの左右側壁面ＲＷ・ＬＷに固着させる。
図１に例示した吊金具３１と留ネジ３３からなる固着手段３の例では、レール支持具２が右側壁面ＲＷ（または左側壁面ＬＷ）に密着して重なり合った状態のまま、これらの上に吊金具３１をかぶせる（図６（ａ））。
続いて吊金具３１のネジ孔３２を通じて、留ネジ３３をレール支持具２のネジ孔２４に締付ける（図６（ｂ））。
するとレール支持具２のツメ部２１が箱状体ＢＸの引掛溝ＧＶ（Ｌ字型の２つの面）と右側壁面ＲＷ（左側壁面ＬＷ）の合計３つの面に当接した状態のまま、レール支持具２が箱状体ＢＸに固着される（図７）。
【００６２】
上記のごとくレール支持具２を箱状体ＢＸに取付けると、つぎに使用者はレール支持具２に対するコの字レール１の係合位置を固定する。
レール挿通孔２２から差込まれたコの字レール１のスライド溝１１にはレール支持具２から抜落ちないようにボルト具４１が係合されているものの、同レール１は箱状体ＢＸの奥行方向（箱状体ＢＸの前後方向）に対して依然スライド移動可能なままになっている。
【００６３】
そこで使用者は、レール留具４（雌ネジ部を有するナット具４２）をレール支持具２表側のレール留孔２３Ｂに差込む。
そしてナット具４２がレール支持具２の内部においてスライド溝１１を突抜けたボルト具４１の雄ネジと螺合するまで、ナット具４２を締付ける。
このようにボルト具４１とナット具４２を緊締することで、これら４１・４２の間に挟まれたレール支持具２とコの字レール１の端部（スライド溝１１が設けられた辺）がしっかりと固定され、コの字レール１の端部が箱状体ＢＸに固着された各レール支持具２に対して係留される（図８）。
これによりコの字レール１が、汎用工具箱ＴＢの箱状体ＢＸに水平に架け渡される（同図８）。
【００６４】
なおナット具４２の締付操作によりコの字レール１をレール支持具２に対して係留した後であっても、同ナット具４２を弛めることにより再度コの字レール１が箱状体ＢＸの奥行方向にスライド移動可能な状態となる。
このような位置調節機能によりレール留具４（ボルト具４１およびナット具４２）を介したコの字レール１の係留位置を自在に調節することができ、ひいては使用者の好みの位置（汎用工具箱ＴＢの奥行方向）に同レール１を移設することができる。
【００６５】
以上説明したように本実施形態の釣用レールキット１００によれば、汎用工具箱ＴＢに損傷を加えることなく釣り用途に必要なときだけコの字レール１を装着することができ、さらに釣りを終えたあとにはレール支持具２を外すことで元の状態（図４）に戻して汎用工具箱ＴＢとして再使用することができる。
そのため様々な釣用アイテムがあらかじめ装着された釣専用クーラーボックスを所持していない釣ユーザであっても、汎用工具箱ＴＢに釣用アイテム（図９に例示した５Ａ・５Ｂなど）を装着して小物・飲料・食料などの安定的な置場を屋外でも確保することができ快適に釣りを楽しむことができる。
【００６６】
さらに本願の釣用レールキットによれば高価な釣専用クーラーボックスを購入しなくても、汎用工具箱ＴＢに対して釣用アイテムの装着された釣専用クーラーボックス同等の機能を持たすことができるため、これから釣りを始めようとするユーザの心理的・経済的なハードルを下げることができ、ひいては現状１千万人ちかくと推定されている国内釣人口のさらなる底辺拡充も期待できる。
【００６７】
［変形例：Ｙ字形状のレール支持具］
上述したように、汎用工具箱ＴＢには持手（ハンドルＨＬ）が回動可能に取付けられたものも多い（図１０）。
このような場合、図１２のようにレール支持具２の全体形状を「Ｙ字形」の湾曲形状とすることで、持手の根元部分（箱状体ＢＸに対するハンドルＨＬの取付位置）にぶつかることなくレール支持具２を取付けることが可能となる。
【００６８】
［変形例：固着手段（吊金具）の形状］
上記実施形態の釣用レールキットでは固着手段３が吊金具３１と留ネジ３３から構成される場合、図１３に示すように吊金具３１の形状を「２段の階段形状」とすることも可能である。
蓋ＲＤを備えた汎用工具箱ＴＢのなかには蓋ＲＤを閉めたときの位置ずれを防止するために、蓋ＲＤと重なり合う箱状体ＢＸの開口部分に「噛合せ縁ＢＰ」（同図１３に示す隆起部分）を有するものも少なくない。
このようなケースでは、図１に示したコの字型の吊金具３１をそのまま適用してもレール支持具２をしっかりと固定することは難しく、レール支持具２が位置ずれしたり、がたつくおそれがある。
しかしながら箱状体ＢＸの開口部分ちかくの垂直方向の断面形状（図１３の例では、噛合せ縁ＢＰと引掛溝ＧＶの段差）と同一形状（２段の階段形状）に吊金具３１を構成することで、レール支持具２をがたつくことなく強固に固着できる。
【００６９】
［変形例：固着手段（磁石）］
本願発明では固着手段として、異なる複数種類の方式（磁石・吸盤・両面テープなど）を採用することが可能である。
これらのうち磁力を利用した固着手段３Ａ・３Ｂを、図１４（ａ）・図１４（ｂ）に示す。
固着手段３Ａ・３Ｂは「Ｎ極・Ｓ極それぞれの極性を有する１対の磁石」ないしは「磁石と磁性金属材料の組合せ」から構成される。
図１４（ａ）の構成例では、固着手段（磁石）３Ａがレール支持具２の内部に埋込まれる。
また汎用工具箱ＴＢの箱状体ＢＸにおいては、開口部分外周の引掛溝ＧＶにレール支持具２のツメ部２１を差込みつつ箱状体ＢＸの左右側壁面ＲＷ・ＬＷにレール支持具２を押当てたときの固着手段（磁石）３Ａの位置に、固着手段３Ｂ（磁性金属材料ないしは３Ａと極性の異なる磁石）が取付けられている。
さらに図１４（ｂ）の構成例では、固着手段（磁石）３Ａがレール支持具２の外表部に取付けられるとともに、固着手段（磁性金属材料ないしは３Ａと極性の異なる磁石）３Ｂが箱状体ＢＸの外表部に固着手段３Ａと向かい合うように取付けられている。
【００７０】
［変形例：固着手段（吸盤）］
負圧による吸着力を利用した固着手段３Ｃを、図１５（ａ）・図１５（ｂ）に示す。
固着手段３Ｃは、レール支持具２の外表部に取付けられた「吸盤」から構成される。一方で箱状体ＢＸについては、吸盤などの取付は一切不要である。
同手段３Ｃを構成する吸盤は、被吸着面に吸着する吸着面と、吸着面の裏面部分である非吸着面からなる弾性部材（例えば、ゴム・塩化ビニル樹脂など）である。
【００７１】
レール支持具２のツメ部２１を引掛溝ＧＶに差込んだ上で（図１５（ａ））、同支持具２の取付対象とする被吸着面（箱状体ＢＸの左右側壁面ＲＷ・ＬＷ）に固着手段３Ｃを押付けると（図１５（ｂ））、吸着面と被吸着面で囲まれた閉空間内から空気が排出されて真空状態になる。
これによりレール支持具２を、固着手段（吸盤）３Ｃを介して箱状体ＢＸの左右側壁面ＲＷ・ＬＷに固着できる（同図１５（ｂ））。
【００７２】
［変形例：固着手段（両面テープないしは面ファスナ）］
粘着力を利用した固着手段３Ｄを、図１６に示す。
固着手段３Ｄは、薄膜の表・裏両側に糊が付着されて成る「両面テープ」から構成される。
固着手段３Ｄの各面をレール支持具２ならびに箱状体ＢＸの左右側壁面ＲＷ・ＬＷにそれぞれ付着させることで、レール支持具２を固着手段３Ｄを介して箱状体ＢＸに固着できる（同図１６）。
なお固着手段３Ｄとしては、両面テープに代えて「面ファスナ」も代用できる。
【００７３】
［変形例：固着手段（コネクタ）］
さらに固着手段としては図１７（ａ）に示すように「コネクタ」（オスコネクタ３４とメスコネクタ３５の組合せ）を利用することも可能である。
同図１７（ａ）の構成下における固定手段は、吊金具３Ｅと、メスコネクタから成る受部３Ｆから成る。
吊金具３Ｅは、箱状体ＢＸの開口部分ちかくの垂直方向の断面形状と同一形状（図１７（ａ）の例ではコの字形状）からなる金具であって、同金具３Ｅの先端部にはオスコネクタ３４が設けられている。
またメスコネクタ３５は、レール支持具２に一体的に成型されている。このメスコネクタ３５には、吊金具３Ｅのオスコネクタ３４が嵌合される（図１７（ｂ）参照）。
なお箱状体ＢＸの開口部分に「噛合せ縁ＢＰ」（図１３）が設けられている場合、図１７（ａ）に示した吊金具３Ｅの全体形状を「２段の階段形状」とすることによりレール支持具２をがたつくことなく強固に固着できる。
なお本例においてレール支持具２は二股に分岐したＵ字形状またはＹ字形状に形成されている。
そのためメスコネクタ３Ｆは、二股に分岐した先端部それぞれに設けることが望ましい。
【００７４】
［変形例：固着手段（クリップ）］
さらに固着手段としては図１８（ａ）に示すように「クリップ」（ヒンジ機構３６により回動可能なクリップ３Ｇ）を利用することも可能である。
同図１８（ａ）の構成下における固定手段は、クリップ３Ｇと、レール支持具２に一体的に成型された支持板３Ｈから成る。
上述したクリップ３Ｇは、箱状体ＢＸの開口部分ちかくの垂直方向の断面形状と同一の２段の階段形状もしくはコの字形状からなる。図１８（ａ）の例では、箱状体ＢＸの開口部分ちかくの垂直方向の断面形状がコの字型であるため、これに応じてクリップ３Ｇの形状も箱状体ＢＸの断面形状にフィットする同一の形状となっている。
また同図１８（ａ）の支持板３Ｈはレール支持具２の垂直方向に起立しており、その先端部に設けられたヒンジ機構３６にはクリップ３Ｇが回動可能に取付けられている。
レール支持具２を箱状体ＢＸの左右側壁面ＲＷ・ＬＷに押当てるとともに支持板３Ｈが引掛溝ＧＶ（Ｌ字型の折返部分）に当接した状態において、クリップ３Ｇにより同引掛溝ＧＶを挟込む。
すると、レール支持具２が箱状体ＢＸに固着される（図１８（ｂ））。
なお本例においてレール支持具２は二股に分岐したＵ字形状またはＹ字形状に形成されている。
そのためクリップＧは、二股に分岐した先端部それぞれに設けることが望ましい。
【００７５】
［変形例：レール留具］
図１ではレール支持具２の裏側にあるレール留孔２３Ａからボルト具４１を差込み、同支持具２の表側にあるレール留孔２３Ｂからナット具４２を差込む構造となっている。
しかしながらレール留具４（１対のボルト具４１とナット具４２）は図１に示した構成例に限らず、ボルト具４１とナット具４２の取付位置を相互に入替えてもよい。
すなわちレール支持具２の表側にレール留孔２３Ａを設けてボルト具４１を差込み、同支持具２の裏側にレール留孔２３Ｂを設けてナット具４２を差込んでもよい。
【００７６】
［変形例：奥行調節孔を設けたコの字レール］
上記実施形態の釣用レールキットでは、スライド溝１１に代えてレール調節孔１１Ａ（円型の開口部）が複数箇所に穿孔されたコの字レール１１を採用することもできる（図１９）。
上記構成下では必ずしもナット具４２を使用する必要はなく、レール留具４として「ボルト具４１のみを使用」してレール調節孔１１Ａを挿通することでレール支持具２に対しコの字レール１を係留することができる。
そのため部品点数を減らすことができ、ひいては本レールキット１００の製造コスト削減にも資することができる。
【００７７】
［変形例：伸縮自在なレールの採用］
上記実施形態の釣用レールキットではコの字レールとして、相互に大きさが異なる複数の長尺状板部材を伸縮自在に継ぎ合せて形成したものも使用可能である。
図２０の例ではコの字レール１Ａは、細長で直方体形状の中空箱部材に対して左右からＬ字型の板部材を差込むことでコの字型の全体形状を形成しており、中央レール辺（左右両端部の各辺と直角をなす真ん中の辺）の軸方向にスライド収納できる伸縮自在なつくりになっている。
上記構成を採用することによりコの字レール１Ａを装着する汎用工具箱ＴＢのサイズ（横幅）に応じて、同工具箱ＴＢの左右方向に水平に架け渡すコの字レール１Ａの長さを自由に変更できる。
【００７８】
［変形例：奥行調節孔を設けたコの字レール］
上記実施形態の釣用レールキットではコの字レール１を構成する３辺のうち中央レール辺１２に、任意の釣用アイテムをネジ止めするためのアイテム用ネジ穴１３ないしは細長い溝状のアイテム装着溝１４を設けることもできる（図２１）。
このような構成下ではコの字レール１に対し、釣用アイテム５Ａ・５Ｂ（図９）をクランプ装着するだけでなく、アイテム用ネジ穴１３・アイテム装着溝１４に対して釣用アイテム５Ｃ・５Ｄをネジ止め装着することも可能となる（同図２１）。
【００７９】
なお釣用アイテム５Ｃ・５Ｄを装着できるようコの字レール１にアイテム用ネジ穴１３・アイテム装着溝１４を設けても、釣用アイテムがかさばった状態ではボルト（雄ネジ５３）とナット（雌ネジ５４）を締付けて同釣用アイテムを同レール１に装着することは困難となってしまう。
そこで本例では釣用アイテム５Ｃ・５Ｄ側にも工夫が為されており、アイテム用ネジ穴１３・アイテム装着溝１４に係合する雄ネジ５３（または雌ネジ）が取付けられた頭頂部５５に対し、所定機能部５７がヒンジ機構５６により開閉可能に取付けられている（図２２（ａ）、図２２（ｃ））。
このようにすれば釣用アイテム５Ｃ・５Ｄの所定機能部５７を折畳んで収納することができ（図２２（ｂ）・図２２（ｄ））、雄ネジ５３の締付作業における釣用アイテム５Ｃ・５Ｄの回転半径を小さくでき、ひいては同アイテム５Ｃ・５Ｄをネジ止めするときの作業効率の円滑化が図られる。
【００８０】
なおこれらのアイテム５Ｃ・５Ｄは、頭頂部５５の雄ネジまたは雌ネジ（図２１の例では雄ネジ５３）と組合せて使用される締具５４も具備している。
同締具５４は頭頂部５５側の雄ネジ５３（または雌ネジ）に対して螺合する雌ネジ（または雄ネジ）を有しているため、頭頂部５５と締具５４を緊締することによりコの字レール１を表側と裏側からきつく挟込んで釣用アイテム５Ｃ・５Ｄをしっかり固着することができる。
【００８１】
以上、実施形態を参照して本発明を説明したが、本発明は上記実施形態に限定されるものではない。本発明の構成や詳細には、本発明の要旨を逸脱しない範囲で当業者が理解し得る各種の変形が可能である。
【符号の説明】
【００８２】
１  コの字レール
２  レール支持具
３  固着手段
４  レール留具
５Ａ  ドリンクホルダ
５Ｂ  フック
１００  釣用レールキット
ＴＢ  汎用工具箱
【要約】
【課題】釣り用途に使用したい場合のみ、汎用工具箱にレールを着脱する。
【解決手段】箱状体の開口部分外周にＬ字型に折返した引掛溝が形成された汎用工具箱に装着する釣用レールキット１００は、クランプと突起部により挟込むことが可能な長方形断面を有する長尺状の板部材をコの字型に折曲げたレールであって折曲げられた両端部に細長いスライド溝が開口したコの字レール１と、引掛溝を利用して箱状体の左右側壁面に押当てるコの字レールを架け渡すための２つのレール支持具２と、レール支持具を箱状体に着脱可能に固着させる固着手段３と、固着手段により箱状体の左右側壁面に固着されたレール支持具に対してコの字レールの折曲げられた端部を係留するレール留具４を具備する。各レール支持具２は、その上端に形成された箱状体の引掛溝に差込まれるツメ部２１と、コの字レール１の折曲げられた端部を挿通するためのレール挿通孔２２とを有する。
【選択図】図１【図１】
0005916265.tif 000002
【図２】
0005916265.tif 000003
【図３】
0005916265.tif 000004
【図４】
0005916265.tif 000005
【図５】
0005916265.tif 000006
【図６】
0005916265.tif 000007
【図７】
0005916265.tif 000008
【図８】
0005916265.tif 000009
【図９】
0005916265.tif 000010
【図１０】
0005916265.tif 000011
【図１１】
0005916265.tif 000012
【図１２】
0005916265.tif 000013
【図１３】
0005916265.tif 000014
【図１４】
0005916265.tif 000015
【図１５】
0005916265.tif 000016
【図１６】
0005916265.tif 000017
【図１７】
0005916265.tif 000018
【図１８】
0005916265.tif 000019
【図１９】
0005916265.tif 000020
【図２０】
0005916265.tif 000021
【図２１】
0005916265.tif 000022
【図２２】
0005916265.tif 000023